(57)【特許請求の範囲】
【請求項１】
燃料ガスを貯蔵する燃料タンクと、前記燃料タンクから供給される燃料ガスと空気を酸化反応させて熱を発生させる燃焼部を有する触媒燃焼加熱部と、前記燃料タンクから前記触媒燃焼加熱部に燃料ガスを供給するチューブと、前記燃焼部の温度を検知する温度検知部と、前記温度検知部の出力信号を入力し前記触媒燃焼加熱部の温度を制御する制御部と、前記触媒燃焼加熱部と前記制御部を保持して人体に装着する装着部と、前記触媒燃焼加熱部と前記制御部を連結する可撓性の筒状体で構成した連結部とを具備し、前記装着部は、前記触媒燃焼加熱部を人体の背部に位置させたとき、前記制御部を人体の側部または前部に位置するように相互に離れた位置に保持し、前記連結部の制御部側に外気を取り入れる吸気孔を設けるとともに前記連結部内に前記チューブを通し、前記連結部内の前記チューブ以外のスペースで前記触媒燃焼加熱部に外気を供給するようにした暖房装置。
【発明の詳細な説明】
【０００１】
【発明の属する技術分野】
本発明は、液化燃料ガスを触媒燃焼させて、その熱を利用する携帯に便利な暖房装置に関するものである。
【０００２】
【従来の技術】
従来この種の暖房装置は、例えば図５〜図７に示すような構成になっていた。すなわち、燃料タンク１は液化石油ガスなどの燃料ガスを貯蔵するもので、カートリッジに充填して着脱自在に設けてあり、この燃料タンク１内の燃料ガスを気化装置（図示せず）で気化し、空気との混合ガスを触媒燃焼加熱部２に設けた燃焼部３に供給する。燃焼部３は燃料ガスと空気を酸化反応させて触媒燃焼し発熱するもので、この燃焼部３の温度を検知する温度検知部４を燃焼部３に設けている。
【０００３】
制御部５は、温度検知部４の出力を入力し、触媒燃焼加熱部２が予め設定された温度に加熱されるように温度制御を行うもので、触媒燃焼加熱部２への燃料ガスの供給を制御することにより行われる。スイッチ６は、燃料タンク１から触媒燃焼加熱部２に燃料ガスを供給して触媒燃焼加熱部２の動作を開始させるものである。
【０００４】
操作部７は制御部５から引き出され、触媒燃焼加熱部２を任意の温度に加熱する温度設定と、燃焼を停止する『切』設定を行う。そして、制御部５には温度制御装置（図示せず）と燃料ガスの着火装置（図示せず）を動作させる電池等の電源部８を着脱自在に設けている。また、触媒燃焼加熱部２と制御部５は、可撓性のパイプで構成した連結部９により連結され、この連結部９には内部に燃料タンク１から触媒燃焼加熱部２に燃料ガスを供給するチューブ（図示せず）を通している。吸気部１０は、先端部に設けた孔１０ａから、触媒燃焼加熱部２へ供給する外気を取り入れるものである。
【０００５】
ベルト状の装着部１１は、人体の腰などの部位に当接して加温するもので、布などの繊維体で形成し、人体に装着するときに接合する面ファスナーなどの結合部１２ａ，１２ｂを設けている。そして、触媒燃焼加熱部２および制御部５等をファスナー１３により開閉自在に構成した収容部１４に着脱自在に収容している。
【０００６】
そして、装着部１１には吸気部１０を通す開口部１５と、操作部７を引き出す開口部１６とを形成し、開口部１６の近傍に操作部７を収納する収納部１７を設けている。
【０００７】
上記構成において動作を説明すると、スイッチ６を操作して燃料ガスを充填した燃料タンク１から燃料ガスを噴出させると、気化したガスと吸気部１０から取り入れられた空気との混合気が燃焼部３に供給され、着火して触媒燃焼を開始する。そして、制御部５から引き出された操作部７により任意の温度に設定すると、制御部５は、温度検知部４の出力を入力して触媒燃焼加熱部２を設定された所定の温度に制御する。
【０００８】
【発明が解決しようとする課題】
このような従来の構成では、触媒燃焼により触媒燃焼加熱部２から排出される排気ガスは、収容部１４の底部に設けたネットで形成した排気部１８から外部へ排出されるようにしているが、一部の排気ガスは収容部１４内に残る。そのため、排気ガスが再び触媒燃焼加熱部２に供給されないように、吸気部１０の長さを長くし、触媒燃焼加熱部２から離れた位置で収容部１４の外から空気を取り入れられるように孔１０ａを結合部１２ｂの近くに位置させていた。
【０００９】
したがって、点検修理時や、汚れた装着部１１をクリーニングする時等、装着部１１から触媒燃焼加熱部２や制御部５等を収容部１４に出し入れする場合の操作性が悪く、特に、長い吸気部１０を装着部１１に設けた開口部１５を通して先端部に設けた穴１０ａを触媒燃焼加熱部２から離れた位置に配設するのに手間がかかり、行いにくいという問題があった。
【００１０】
また、操作部７を操作する場合、操作部７を収納している収納部１７は、手が届きにくく目で見ることができない腰部に位置するため、そこから操作部７を取り出して操作した後、再度収納部１７に戻さなければならないので、大変使い勝手が悪く、同様に、スイッチ６も腰部にあり、機器を使用してから所定時間後に機器の動作を停止させるタイマーが作動した場合等、使用中にスイッチ６を操作するときに不便であった。
【００１１】
本発明は上記従来の課題を解決するもので、簡単な構成で外気導入ができるようにして装着部に対する機器の脱着を容易にするとともに、機器を動作させるスイッチおよび触媒燃焼加熱部の温度設定などの操作性を向上させることを目的としている。
【００１２】
【課題を解決するための手段】
本発明は上記目的を達成するために、燃料ガスと空気を酸化反応させて熱を発生させる燃焼部を有する触媒燃焼加熱部の温度を制御部により制御するとともに、前記触媒燃焼加熱部と前記制御部を保持して人体に装着する装着部と、前記触媒燃焼加熱部と前記制御部を連結する可撓性の筒状体で構成した連結部とを具備し、前記装着部は、前記触媒燃焼加熱部を人体の背部に位置させたとき、前記制御部を人体の側部または前部に位置するように相互に離れた位置に保持し、前記連結部の制御部側に外気を取り入れる吸気孔を設けるとともに前記連結部内に前記チューブを通し、前記連結部内の前記チューブ以外のスペースで前記触媒燃焼加熱部に外気を供給するようにしたものである。
【００１３】
これにより、外気を取り入れるために長い吸気部を触媒燃焼加熱部から導出させることなく、簡単な構成で外気を触媒燃焼加熱部へ供給することができ、装着部に対して機器を容易に脱着することができるとともに、操作部を操作の容易な位置に配置して使い勝手をよくすることができる。
【００１４】
【発明の実施の形態】
本発明の請求項１に記載の発明は、燃料ガスを貯蔵する燃料タンクと、前記燃料タンクから供給される燃料ガスと空気を酸化反応させて熱を発生させる燃焼部を有する触媒燃焼加熱部と、前記燃料タンクから前記触媒燃焼加熱部に燃料ガスを供給するチューブと、前記燃焼部の温度を検知する温度検知部と、前記温度検知部の出力信号を入力し前記触媒燃焼加熱部の温度を制御する制御部と、前記触媒燃焼加熱部と前記制御部を保持して人体に装着する装着部と、前記触媒燃焼加熱部と前記制御部を連結する可撓性の筒状体で構成した連結部とを具備し、前記装着部は、前記触媒燃焼加熱部を人体の背部に位置させたとき、前記制御部を人体の側部または前部に位置するように相互に離れた位置に保持し、前記連結部の制御部側に外気を取り入れる吸気孔を設けるとともに前記連結部内に前記チューブを通し、前記連結部内の前記チューブ以外のスペースで前記触媒燃焼加熱部に外気を供給するようにしたものであり、触媒燃焼加熱部から離れた位置から燃料ガスと外気を連結部を介して触媒燃焼加熱部へ同時に供給することができ、構成を簡略化して装着部に対する機器の脱着を容易にすることができる。
【００１５】
【実施例】
以下、本発明の実施例について図面を参照しながら説明する。なお、従来例と同じ構成のものは同じ符号を付して説明を省略する。
【００１６】
（実施例１）
図１〜図３に示すように、燃料タンク１は、液化石油ガスなどの燃料ガスを貯蔵するもので、カートリッジに充填して着脱自在に設けてあり、この燃料タンク１内の燃料ガスを気化装置（図示せず）で気化し、空気との混合ガスを触媒燃焼加熱部２に設けた燃焼部３に供給する。燃焼部３は、燃料ガスと空気を酸化反応させて触媒燃焼し発熱するもので、この燃焼部３の温度を検知する温度検知部４を燃焼部３に埋設している。
【００１７】
制御部１９は、温度検知部４の出力を入力し、触媒燃焼加熱部２が予め設定された温度に加熱されるように温度制御を行うもので、触媒燃焼加熱部２への燃料ガスの供給を制御することにより行われる。スイッチ２０は、燃料タンク１から触媒燃焼加熱部２に燃料ガスを供給して触媒燃焼加熱部２の動作を開始させるもので、操作部２１は、触媒燃焼加熱部２を任意の温度に加熱する温度設定と、触媒燃焼を停止する『切』設定を行う。そして、これらスイッチ２０および操作部２１は制御部１９の外面に設けている。
【００１８】
制御部１９には温度制御装置（図示せず）と燃料ガスの着火装置（図示せず）を動作させる電池等の電源部８を着脱自在に設けている。また、触媒燃焼加熱部２と制御部１９は、可撓性の筒状体によって構成した連結部２２により連結され、この連結部２２の内部には燃料タンク１から触媒燃焼加熱部２に燃料ガスを供給するチューブ（図示せず）を通しており、連結部２２の内部においてチューブ以外のスペースで制御部１９周辺の外気を触媒燃焼加熱部２に送っている。
【００１９】
ベルト状の装着部２３は、触媒燃焼加熱部２を人体Ａの腰などの部位に当接して加温するもので、布などの繊維体で形成し、人体Ａに装着するときに接合する面ファスナーなどの結合部２４ａ，２４ｂをその両端部に設けている。そして、触媒燃焼加熱部２および制御部１９を装着部２３の相互の離れた位置に独立して保持するように有底の保持部２５、２６を設け、触媒燃焼加熱部２および制御部１９は、これらの保持部２５、２６に設けた面ファスナー２７、２８によって装着部２３に固定されるようにしている。
【００２０】
上記保持部２５、２６は、人体Ａへの装着時に運動等を行った際でも脱落を防止するために有底構造としている。そして、触媒燃焼加熱部２を保持する保持部の底部には触媒燃焼加熱部２から排出される排気ガスを放出する孔２９を設けている。
【００２１】
そして、装着部２３に保持した触媒燃焼加熱部２と制御部１９の間隔は、触媒燃焼加熱部２および制御部１９を保持した装着部２３を人体に装着し、触媒燃焼加熱部２を人体Ａの背部、例えば腰部と対向するように位置させたとき、制御部１９は人体Ａの前部に位置するように触媒燃焼加熱部２から離れた位置に保持しており、触媒燃焼加熱部２から排出される排気ガスが連結部２２から吸引されないようにしている。
【００２２】
したがって、制御部１９の位置は、人体Ａの側部に位置するように触媒燃焼加熱部２から離れた位置となるように間隔を設定して保持してもよく、触媒燃焼加熱部２から排出される排気ガスが連結部２２から吸引されるのを防止することができる。つまり、本発明では触媒燃焼加熱部２と制御部１９が囲まれた同一空間に収容されないように別々に装着部２３に保持することが重要である。
【００２３】
上記構成において動作を説明すると、人体Ａの腹部と対向する前部に位置する制御部１９に設けたスイッチ２０を操作して、燃料ガスを充填した燃料タンク１から燃料ガスを噴出させると、燃料ガスは気化し連結部２２内を通したチューブを通って触媒燃焼加熱部２に供給されるとともに、制御部１９を構成する樹脂製ケースの嵌合部の隙間等から制御部１９周辺の外気を取り込み、燃料ガス供給用チューブと連結部２２の間から触媒燃焼加熱部２へ吸引された外気との混合気が燃焼部３へ供給され、着火装置を動作させて触媒燃焼を開始する。
【００２４】
そして、制御部１９に設けられた操作部２１を操作して任意の温度に設定すると、制御部１９は、温度検知部４の出力を入力し、触媒燃焼加熱部２を設定された所定の温度に制御する。
【００２５】
このように、触媒燃焼加熱部２を人体の腰部と対向するように位置させたときに、触媒燃焼加熱部２および制御部１９を保持した装着部２３を人体Ａに装着し、制御部１９が人体Ａの前部または側部に位置するように、触媒燃焼加熱部２から離れた位置に制御部１９を保持しているため、触媒燃焼加熱部２から吸気用の長いパイプを導出させることなく、連結部２２を介して触媒燃焼加熱部２から離れた制御部１９から外気を取り入れることができ、構成を簡略化して装着部に対する触媒燃焼加熱部および制御部等を容易に脱着することができるとともに、触媒燃焼加熱部２から排出される排気ガスの吸引を防止することができる。
【００２６】
また、連結部２２に、燃料ガスを触媒燃焼加熱部２へ供給するチューブを内蔵しているため、連結部２２とチューブの間で外気を送ることができ、外気供給用の部材を設ける必要がなく構成を簡略にできるとともに。連結部２２によって燃料ガス供給用チューブを包囲して保護することができる。
【００２７】
さらに、機器の動作を開始させるスイッチ２０と操作部２１を制御部１９に設けているため、使用中にスイッチ２０と操作部２１の操作を行う場合でも、装着部２３を取り外すことなく人体に装着した状態で操作を行うことができ、人体Ａへの暖房を停止することなく快適に加温を継続することができる。
【００２８】
そして、制御部１９に燃料タンク１を設けた場合は、燃料ガスを補充する際に装着部２３を取り外すことなく人体Ａに装着した状態で簡単に燃料タンク１を取り外すことができるため、上記と同様に人体Ａへの暖房を停止することなく快適に加温を継続することができる。
【００２９】
（実施例２）
図４に示すように、触媒燃焼加熱部２と制御部１９を連結する連結部２２の制御部１９側に外気を取り入れる吸気孔３０を設けたものである。この場合、綿埃や糸屑等の塵埃の侵入を防止するためにフィルター（図示せず）を設けることが好ましい。他の構成は上記実施例１と同じである。
【００３０】
上記構成によれば、外気の取り入れをスムースにして必要かつ十分な空気を触媒燃焼加熱部２へ吸引することができ、燃料ガスとの良好な混合気を燃焼部へ供給することができる。
【００３１】
【発明の効果】
以上のように本発明の請求項１に記載の発明によれば、燃料ガスを貯蔵する燃料タンクと、前記燃料タンクから供給される燃料ガスと空気を酸化反応させて熱を発生させる燃焼部を有する触媒燃焼加熱部と、前記燃料タンクから前記触媒燃焼加熱部に燃料ガスを供給するチューブと、前記燃焼部の温度を検知する温度検知部と、前記温度検知部の出力信号を入力し前記触媒燃焼加熱部の温度を制御する制御部と、前記触媒燃焼加熱部と前記制御部を保持して人体に装着する装着部と、前記触媒燃焼加熱部と前記制御部を連結する可撓性の筒状体で構成した連結部とを具備し、前記装着部は、前記触媒燃焼加熱部を人体の背部に位置させたとき、前記制御部を人体の側部または前部に位置するように相互に離れた位置に保持し、前記連結部の制御部側に外気を取り入れる吸気孔を設けるとともに前記連結部内に前記チューブを通し、前記連結部内の前記チューブ以外のスペースで前記触媒燃焼加熱部に外気を供給するようにしたから、触媒燃焼加熱部から離れた位置に保持している制御部から外気を供給することができ、構成を簡略化して装着部に対する触媒燃焼加熱部および制御部等を容易に脱着することができる。
【図面の簡単な説明】
【図１】  本発明の第１の実施例の暖房装置の一部切欠した斜視図
【図２】  同暖房装置の要部分解斜視図
【図３】  同暖房装置の人体への装着状態の上面図
【図４】  本発明の第２の実施例の暖房装置の要部分解斜視図
【図５】  従来の暖房装置の一部切欠した斜視図
【図６】  同暖房装置の要部分解正面図
【図７】  同暖房装置の人体への装着状態の上面図
【符号の説明】
１  燃料タンク
２  触媒燃焼加熱部
３  燃焼部
４  温度検知部
１９  制御部
２２ 連結部
２３  装着部
３０ 吸気孔
【図１】
0004075188.tif 000002
【図２】
0004075188.tif 000003
【図３】
0004075188.tif 000004
【図４】
0004075188.tif 000005
【図５】
0004075188.tif 000006
【図６】
0004075188.tif 000007
【図７】
0004075188.tif 000008